(57)【要約】【課題】ディスプレイに表示されたアイコンを選択する場合又はディスプレイの表示画面を制御する場合には、そのディスプレイに設けられたタッチパネルを使用しなければならない。【解決手段】上記課題を解決するために本願発明に係る携帯電子機器は、第１表示部と、第２表示部と、第１表示部に重ねて配置され、ユーザによる接触を検出する第１検出部と、前記第１検出部により検出されたユーザによる接触が第１の条件を満たすか否かを判断する第１判断部と、前記第１判断部により前記第１の条件を満たすと判断された場合には、前記ユーザによる接触に応じて前記第２表示部の表示を制御し、前記第１判断部により前記第１の条件を満たすと判断された場合には、前記ユーザによる接触に応じて前記第１表示部の表示を制御する表示制御部と、を備えることを特徴とする。【選択図】  図２
2013047866.tif 000002
【特許請求の範囲】
【請求項１】
第１表示部と、
第２表示部と、
第１表示部に重ねて配置され、ユーザによる接触を検出する第１検出部と、
前記第１検出部により検出されたユーザによる接触が第１の条件を満たすか否かを判断する第１判断部と、
前記第１判断部により前記第１の条件を満たすと判断された場合には、前記ユーザによる接触に応じて前記第２表示部の表示を制御し、前記第１判断部により前記第１の条件を満たさないと判断された場合には、前記ユーザによる接触に応じて前記第１表示部の表示を制御する表示制御部と、
を有する携帯電子機器。
【請求項２】
前記第１の条件とは、ユーザにより接触された箇所の数が第１の数であること、
を特徴とする請求項１に記載の携帯電子機器。
【請求項３】
前記第１の数は２であること、
を特徴とする請求項２に記載の携帯電子機器。
【請求項４】
ユーザによる操作を検出する操作部を更に備え、
前記表示制御部は、前記操作部によりユーザによる操作が検出されている場合は、前記第１表示部及び前記第２表示部のうち、前記ユーザによる接触に応じて前記第１表示部の表示のみを制御すること、
を特徴とする請求項１に記載の携帯電子機器。
【請求項５】
前記第１検出部によりユーザによる第１接触と第２接触とを検出している場合において、前記第１接触と前記第２接触との相対関係を判断する第２判断部と、を更に備え、
前記第２判断部により前記相対関係が第１の関係にあると判断された場合には、前記第２表示部に表示されている画像を拡大すること、
を特徴とする請求項３に記載の携帯電子機器。
【請求項６】
前記第２判断部により前記相対関係が第２の関係にあると判断された場合には、前記第２表示部に表示されている画像を縮小すること、
を特徴とする請求項３に記載の携帯電子機器。
【請求項７】
前記第１接触の位置と前記第２接触の位置との間の距離を算出する算出部と、を更に備え、
前記第２判断部は、第１時刻における第１距離と、前記第１時刻より所定時間経過後の第２距離とを比較し、前期第２距離が前記第１距離よりも大きい場合は、前記第１の関係にあると判断すること、
を特徴とする請求項５に記載の携帯電子機器。
【請求項８】
前記第１接触の位置と前記第２接触の位置との間の距離を算出する算出部と、を更に備え、
前記第２判断部は、第１時刻における第１距離と、前記第１時刻より所定時間経過後の第２距離とを比較し、前期第２距離が前記第１距離よりも小さい場合は、前記第２の関係にあると判断すること、
を特徴とする請求項６に記載の携帯電子機器。
【請求項９】
自機の傾きを検出する傾き検出部と、を更に備え、
前記表示制御部は、自機の傾きが特定の傾きの場合に、前記ユーザによる接触に応じて、前記第１表示部及び前記第２表示部のうち前記第１表示部の表示のみを制御すること、
を特徴とする請求項１に記載の携帯電子機器。
【請求項１０】
第２表示部に重ねて配置され、ユーザによる接触を検出する第２検出部とを更に備え、
前記表示制御部は、自機の傾きが前記特定の傾きの場合には、前記第２検出部により検出されたユーザの接触に応じて、前記第１表示部及び前記第２表示部のうち前記第２表示部の表示のみを制御すること、
を特徴とする請求項９に記載の携帯電子機器。
【請求項１１】
前記第２表示部に重ねて配置され、ユーザによる接触を検出する第２検出部と、
前記第１表示部が設けられた第１筐体と、
前記第２表示部が設けられた第２筐体と、
前記第１表示部が前記第２筐体に覆われる閉状態にあるか否かを検出する状態検出部と、を更に備え、
前記第１判断部は、状態検出部により閉状態が検出されている場合には、前記第２検出部により検出されたユーザによる接触が前記第１の条件を満たすか否かを判断し、
前記第２判断部は、前記第１の条件を満たす場合において前記第２検出部により第３接触及び第４接触が検出さてれているときは、前記第３接触及び第４接触との相対関係を判断し、
前記表示制御部は、前記相対関係に基づいて前記第２表示部の表示を制御すること、
を特徴とする請求項３に記載の携帯電子機器。
【請求項１２】
前記表示制御部は、前記相対関係が第１の関係であると判断された場合には、前記第２表示部に表示されている画像を拡大し、前記相対関係が第２の関係であると判断された場合には、前記第２表示部に表示されている画像を縮小すること、
を特徴とする請求項１１に記載の携帯電子機器。
【請求項１３】
ユーザによる接触を検出することができる第１表示部と第２表示部とを備えた携帯電子機器にて実行される表示制御方法であって、
ユーザによる接触が第１条件を満たすか否かを判断するステップと、
前記第１の条件を満たすと判断された場合には、前記ユーザによる接触に応じて前記第２表示部の表示を制御するステップと、
第１の条件を満たさないと判断された場合には、前記ユーザによる接触に応じて前記第１表示部の表示を制御するステップと、
を含む表示制御方法。
【発明の詳細な説明】
【技術分野】
【０００１】
本発明は、複数のタッチパネルディスプレイを有する携帯電子機器に関する。
【背景技術】
【０００２】
２つのタッチパネルを有する携帯電子機器が知られている。また、近年の携帯電子機器は、パソコン等に引けを取らないような複雑な機能を実現できるようになっている。ディスプレイに選択されているアイコンを選択する場合には、ユーザは、表示されているアイコンを直接押下することで選択することができる。
【先行技術文献】
【特許文献】
【０００３】
【特許文献１】特開２００６−３１１２２４号公報
【発明の概要】
【発明が解決しようとする課題】
【０００４】
しかしながら、上述のような携帯電子機器では、ディスプレイに表示されたア画面を制御する場合には、そのディスプレイに設けられたタッチパネルを使用しなければならない。そのため、例えば選択したいアイコンが複数あり、かつ夫々が異なるディスプレイに表示されている場合には、ユーザは、異なるディスプレイに指を毎回運ぶ必要があり、面倒である。
【０００５】
そこで、本発明は係る問題に鑑みてなされたものであり、一方のディスプレイに設けられたタッチパネルを用いて他方のディスプレイの表示を制御することによりユーザの利便性を向上させることが可能な携帯電子機器を提供することを目的とする。
【課題を解決するための手段】
【０００６】
上記課題を解決するために本願発明に係る携帯電子機器は、第１表示部と、第２表示部と、第１表示部に重ねて配置され、ユーザによる接触を検出する検出部と、前記検出部により検出されたユーザによる接触が第１の条件を満たすか否かを判断する第１判断部と、前記第１判断部により前記第１の条件を満たすと判断された場合には、前記ユーザによる接触に応じて前記第２表示部の表示を制御し、前記第１判断部により前記第１の条件を満たすと判断された場合には、前記ユーザによる接触に応じて前記第１表示部の表示を制御する表示制御部と、を備えることを特徴とする。
【発明の効果】
【０００７】
上記構成を備えることにより、一方のディスプレイに設けられたタッチパネルを用いて他方のディスプレイの表示を制御するので、ユーザの利便性を向上させることができる。
【図面の簡単な説明】
【０００８】
【図１】携帯電話機１００の外観斜視図である。
【図２】携帯電話機１００の構成図である。
【図３】携帯電話機１００の姿勢を説明するための図である。
【図４】ユーザのタッチ位置を説明するための図である。
【図５】ユーザのタッチ位置の第１関係を説明するための図である。
【図６】ユーザのタッチ位置の第２関係を説明するための図である。
【図７】ユーザのタッチ位置の第３関係を説明するための図である。
【図８】ユーザのタッチ位置の移動を説明するための図である。
【図９】携帯電話機１００にて行われる処理を説明するためのフローチャートである。
【発明を実施するための形態】
【０００９】
以下、本発明に係る携帯電子機器の実施の形態としての携帯電話機１００について説明する。
【００１０】
図１は、スライド型の携帯電話機１００の外観斜視図である。携帯電話機１００は、上部筐体１０１と、下部筐体１０２とで構成されている。下部筐体１０２には、第１タッチパネル１０５が設けられている。上部筐体１０１には、スピーカ１０３、マイク１０４、及び第２タッチパネル１０６が設けられている。各タッチパネル上には、ユーザからの指示に基づいて、カーソルキーやテンキー等のキー群やアイコン等が表示され、ユーザは、これらを指等でタッチすることにより各種操作を行うことができる。また、上部筐体１０１と下部筐体１０２とは開閉可能に連結されている。
【００１１】
図１（Ａ）は、上部筐体１０１と下部筐体１０２とが閉じた状態にある場合の外観斜視図である。閉じた状態とは、上部筐体１０１が、下部筐体１０２のタッチパネルを覆うような相対位置にある場合である。本実施の形態では、閉じた状態を閉状態と称する。
【００１２】
図１（Ｂ）は、上部筐体１０１と下部筐体１０２とが開いた状態にある場合の外観斜視図である。開いた状態とは、上部筐体１０１に設けられた第２タッチパネル１０６と下部筐体１０２に設けられた第１タッチパネル１０５とを同一方向からの視認が可能な関係となる相対位置である。本実施の形態では、開いた状態を開状態と称する。
【００１３】
図２は、携帯電話機１００の構成図である。
【００１４】
携帯電話機１００は、無線部１１０、マイク１０４、スピーカ１０３、信号処理部１１３、状態検出部１１２、第１タッチパネル１０５、第２タッチパネル１０６、記憶部１１１、姿勢判定部１０７、及び制御部１１８により構成される。
【００１５】
無線部１１０は、アンテナ１０９を介して送受信する信号の変復調を行う。
【００１６】
信号処理部１１３は、マイク１０４から入力される音声信号を無線部１１０を介して送信するための処理や、アンテナ１０９から無線部１１０を介して受信した音声信号をスピーカ１０３へ出力するための処理を行う。また、信号処理部１１３は、無線部１１０を介して電子メール等のデータを受信し、制御部１１８へ出力する。
【００１７】
マイク１０４は、入力された音声を音声信号として信号処理部１１３へ出力する。
【００１８】
スピーカ１０３は、信号処理部１１３にて処理された音声信号又は制御部１１８より受け取った音声データを音声として出力する。
【００１９】
第１タッチパネル１０５は第１表示部１１４及び第１入力部１１５を、第２タッチパネル１０６は、第２表示部１１６及び第２入力部１１７を備えて構成されている。
【００２０】
各表示部は、ＬＣＤ（Ｌｉｑｕｉｄ  Ｃｒｙｓｔａｌ  Ｄｉｓｐｌａｙ）を含み、制御部１１８からの指示に基づいて、文字やアイコン等の画像をＬＣＤに表示する機能を有している。
【００２１】
各入力部は、ユーザによるタッチを検出し、検出している間、単位時間（例えば１／６
０秒）毎に、タッチしている位置の座標値を、制御部１１８及び記憶部１１１に出力する。タッチとは、ユーザが指等で第１入力部１１５又は第２入力部１１７を触ることである。デタッチとは、ユーザが指で第１入力部１１５又は第２入力部１１７を触れている場合に、触れている指を第１入力部１１５又は第２入力部１１７から離すことである。スライドとは、ユーザが指で第１入力部１１５又は第２入力部１１７に触れている場合に、触れているユーザの指が接触を維持しながら移動することである。各入力部は、座標値を検出するとタッチされたと判断する。各入力部が、検出している座標値が検出されなくなったらデタッチと判断する。各入力部は、検出している座標値が時間と共に変化している場合は、スライドと判断する。尚、第１入力部１１５又は第２入力部１１７に触れるのは、ユーザの指だけに限らない。ユーザの指以外のペン等でもよい。第１入力部１１５及び第２入力部１１７は、一般的なタッチパネルで用いられている抵抗膜方式、光学式、静電容量結合式等の何れの方法で実現するものであってもよい。また、第１入力部１１５及び第２入力部１１７は、ユーザによるタッチを同時に複数検出することができる。第１入力部１１５は、ユーザによるタッチを一つ検出している場合において、ユーザによる新たなタッチを検出することができる。第１入力部１１５は、既にタッチされている位置の座標値と、新たにタッチされた位置の座標値とを制御部１１８に出力する。第２入力部１１７においても同様である。
【００２２】
記憶部１１１は、ＲＯＭ、ＲＡＭ、ＥＥＰＲＯＭ、不揮発性ＲＡＭ、フラッシュメモリ、ＨＤＤ等で構成され、制御部１１８で処理されるプログラム等を記憶する。
【００２３】
また、記憶部１１１は、ユーザによるタッチを検出している間、各入力部から出力される座標値を単位時間（例えば１／６０秒）毎に記憶する機能を有する。つまり、記憶部１１１は、タッチ状態からデタッチ状態までの間に出力された座標値を記憶する。
【００２４】
姿勢判定部１０７は、加速度センサ１４を含んで構成され、加速度センサ１４を用いて携帯電話機１００の姿勢を検出する。姿勢判定部は、加速度センサの出力に基づいて、図３に示されるように、携帯電話機１００が図３（Ａ）の姿勢にあるのか、図３（Ｂ）の姿勢にあるのかを検出する。図３（Ａ）は、携帯電話機１００を例えば本のように見開いて使用する姿勢である。図３（Ｂ）は、従来のスライド型の携帯電話機１００のように、下部筐体１０２がユーザにより保持されて使用される姿勢である。本実施形態では、図３（Ａ）を第１姿勢、図３（Ｂ）を第２姿勢と称する。姿勢判定部１０７は、検出した姿勢を制御部１１８に出力する。
【００２５】
状態検出部１１２は、下部筐体１０２に対する上部筐体１０１の相対位置を検出する機能を有する。具体的には、状態検出部１１２は、携帯電話機１００が、開状態にあるのか、閉状態にあるのかを検出する。状態検出部１１２は、検出した結果を制御部１１８に出力する。状態検出部１１２の例としては、例えば上部筐体１０１と下部筐体１０２とに磁石センサを設けることが考えられる。磁石センサを設けることにより、閉状態にあるときは、互いの磁石センサが近接することで電気信号が流れ、開状態にあるときは、磁石センサは離れているため電気信号は流れないように構成してもよい。
【００２６】
制御部１１８は、第１判断部１１９、第２判断部１２０、及び表示制御部１２１を含み、携帯電話機１００の全体動作の制御を行う。制御部１１８は、例えばＣＰＵ（Central Processing Unit）などの処理手段である。
【００２７】
第１判断部１１９は、自機が第２状態にある場合は、第１入力部１１５により検出されているユーザによるタッチの数が、一つなのか又は複数なのかを判断する。第１判断部１１９は、ユーザによるタッチの数が一つの場合には、その結果を後述する表示制御部１２１に出力する。第１判断部１１９は、ユーザによるタッチが同時に複数検出されている場合は、その結果を第２判断部１２０に出力する。
【００２８】
第２判断部１２０は、第１判断部１１９によりタッチが同時に複数検出されている場合には、複数のタッチの夫々の単位時間あたりの位置座標に基づいて、複数のタッチの相対的な位置関係を判断する。第２判断部１２０は、判断した結果を表示制御部１２１へ出力する。第２判断部１２０が行う処理を図４乃至図６を用いて説明する。図４に示すように、例えば、第１判断部１１９は、第１入力部１１５において、指Ａと指Ｂとによるタッチを検出したとする。第２判断部１２０は、第１判断部１１９からの出力に基づき、指Ａのタッチ位置２００の第１座標値（Ｘ１、Ｙ１）と指Ｂのタッチ位置２０１の第２座標値（Ｘ２、Ｙ２）を第１入力部１１５から取得する。第２判断部１２０は、第１座標値と第２座標値の第１差分、つまり（Ｘ１−Ｘ１、Ｙ２−Ｙ２）を算出する。次に、第２判断部１２０は、単位時間経過後の指Ａのタッチ位置２０２の第３座標値（Ｘ３、Ｙ３）と指Ｂのタッチ位置２０３の第４座標値（Ｘ４、Ｙ４）を第１入力部１１５から取得する。第２判断部１２０は、第３座標値と第４座標値との第２差分、つまり（Ｘ３−Ｘ４、Ｙ３−Ｙ４）を算出する。第２判断部１２０は第１差分と第２差分とを比較する。第２判断部１２０は、第１差分と第２差分とを比較する場合には、「Ｘ１−Ｘ２」の２乗と「Ｙ１−Ｙ２」の２乗との和の平方根と、「Ｘ３−Ｘ４」の２乗と「Ｙ３−Ｙ４」の２乗との和の平方根とを比較する。つまりは、第２判断部１２０は、単位時間経過した場合に、指Ａと指Ｂとの間の直線距離が長くなったのか、短くなったのか、又は同じなのかを判断する。第２判断部１２０は、図５に示すように、指Ａと指Ｂとの間の直線距離が同じの場合には、第１関係にあると判断する。第１関係は、指Ａと指Ｂとは静止、又は指Ａに対する指Ｂの相対位置が変わらない状態で指Ａと指Ｂが移動することである。第２判断部１２０は、図６に示すように、指Ａと指Ｂとの間の直線距離が長くなった場合には、第２関係にあると判断する。第２関係は、指Ａに対する指Ｂの相対位置が離れることである。第２判断部１２０は、図７に示すように、指Ａと指Ｂとの間の直線距離が小さくなった場合には、第３関係にあると判断する。第３関係は、指Ａに対する指Ｂの相対位置が近づくことである。第２判断部１２０は、判断した関係を表示制御部１２１へ出力する。尚、直線距離とは、例えば図４の点線２０４等である。
【００２９】
表示制御部１２１は、第１表示部１１４及び第２表示部１１６の表示を制御することができる。
【００３０】
表示制御部１２１は、姿勢判定部１０７により第１状態が検出されている場合は、第１入力部１１５により検出されたユーザの入力に基づいて第１表示部１１４の表示を制御し、第２入力部１１７により検出されたユーザの入力に基づいて第２表示部１１６の表示を制御することができる。
【００３１】
表示制御部１２１は、姿勢判定部１０７により第２状態が検出されている場合は、第１入力部１１５により検出されたユーザの入力に基づいて第１表示部１１４の表示及び第２表示部１１６の表示を制御することができる。表示制御部１２１は、ユーザによるタッチの数が一つの場合には、ユーザによるタッチに基づいて第１表示部１１４の表示を制御する。表示制御部１２１は、ユーザにより特定のアイコンがタッチされ、その後デタッチされた場合には、選択されたアイコンにより特定されるアプリケーションプログラムを実行することにより表示される画像を第１表示部１１４に表示する。また、表示制御部１２１は、ユーザにより特定のアイコンがタッチされ、その後ドラッグされかつデタッチされた場合には、ユーザにより選択されたアイコンを、デタッチを検出した位置に表示させる。表示制御部１２１は、第２判断部１２０からの出力に基づいて、第２表示部１１６の表示を制御する。表示制御部１２１は、第１判断部１１９により第１関係と判断された場合には、第２表示部１１６に表示されている画像をタッチの移動に伴って移動させる。例えば、図８のように、表示制御部１２１が、指Ａ及び指Ｂが矢印Ｃの方向に移動した場合は、第２表示部１１６の表示を横スクロールする。表示制御部１２１が、図８のように、指Ａ及び指Ｂが矢印Ｄの方向のように移動した場合は、第２表示部１１６の表示を縦スクロールさせる。尚、指Ａ及び指Ｂがどの方向に移動しているかは、第１入力部１１５により検出される指Ａ又は指Ｂの位置座標を取得することで判断してもよい。表示制御部１２１は、第２判断部１２０により第２関係と判断された場合には、第２表示部１１６に表示されている画像を拡大して表示させる。表示制御部１２１は、第２判断部１２０により第３関係と判断された場合には、第２表示部１１６に表示されている画像を縮小して表示させる。
【００３２】
次に、携帯電話機１００の動作について、図９を用いて説明する。
【００３３】
姿勢判定部１０７は、携帯電話機１００が第２姿勢であるか否かを検出する（Ｓ２１）。制御部１１８は、姿勢判定部１０７により第２姿勢であることが検出された場合に（Ｓ２１のＹＥＳ）、第１入力部１１５によりユーザによるタッチが検出されたか否かを判断する。制御部１１８は、姿勢判定部１０７により第１姿勢が検出されている場合には（Ｓ２１のＮＯ）、第１入力部１１５で入力が検出されたか否か判断する（Ｓ３１）。表示制御部１２１は、第１入力部１１５でユーザによるタッチが検出された場合には、ユーザのタッチに基づいて第１表示部１１４の表示を制御する（Ｓ３２）。制御部１１８は、第１入力部１１５でユーザのタッチが検出されていない場合は、第２入力部１１７でユーザによるタッチが検出されたか否かを判断する（Ｓ４１）。表示制御部１２１は、第２入力部１１７によりユーザのタッチが検出された場合には（Ｓ４１のＹＥＳ）、検出されたタッチに基づいて、第２表示部１１６の表示を制御する（Ｓ４２）。
【００３４】
第１判断部１１９は、携帯電話機１００が第２姿勢である場合は（Ｓ２１のＹＥＳ）、第１入力部１１５によりユーザによるタッチが検出された場合に、ユーザによりタッチされた数が２つ以上か否かを判断する（Ｓ２２）。第１判断部１１９は、タッチされた数が１つである場合には（Ｓ２２のＮＯ）、その結果を表示制御部１２１に出力する。表示制御部１２１は、第１入力部１１５により検出されたユーザによるタッチ位置の動きに基づいて、第１表示部１１４の表示を制御する（Ｓ３２）。「タッチ位置の動き」とは、デタッチ又はスライド等である。
【００３５】
第２判断部１２０は、第１判断部１１９によりユーザによりタッチされた数が２つ以上と判断された場合に（Ｓ２２のＹＥＳ）、検出されたタッチ位置の関係を判断する。第２判断部１２０は、タッチ位置間の距離（以下、第１距離と称する）を算出する（Ｓ２３）。第２判断部１２０は、所定時間経過後のタッチ位置間の距離を算出する２距離と称する）（Ｓ２４）。第２判断部１２０は、第１距離と第２距離とを比較する。第２判断部１２０は、第１距離と第２距離とが同じであるかを判断する（Ｓ２５）。第２判断部１２０は、第１距離と第２距離とが同じの場合には（Ｓ２５のＹＥＳ）、第１関係と判断し、その結果を表示制御部１２１に出力する。表示制御部１２１は、第２判断部１２０により第１関係と判断された場合には、タッチ位置の移動に応じて第２表示部１１６に表示された画像をスクロールさせる（Ｓ２６）。
【００３６】
第２判断部１２０は、第１距離と第２距離とが同じでない場合には（Ｓ２５のＮＯ）、第１距離の長さが第２距離の長さより短いか否かを判断する（Ｓ５１）。第２判断部１２０は、第１距離の長さが第１距離の長さより短い場合には（Ｓ５１のＹＥＳ）、第２関係と判断し、その結果を表示制御部１２１に出力する。表示制御部１２１は、第２判断部１２０により第２関係と判断された場合には、第２表示部１１６に表示されている画像を拡大して表示させる（Ｓ５２）。
【００３７】
第２判断部１２０は、第１距離の長さが第２距離の長さより短くない場合には（Ｓ５１
のＮＯ）、第１距離の長さが第２距離の長さより長いと判断し、第３関係と判断する（Ｓ６１）。表示制御部１２１は、第２判断部１２０により第３関係と判断された場合には、第２表示部１１６に表示されている画像を縮小して表示させる（Ｓ６１）。
【００３８】
以上の動作により、ユーザは、一方のディスプレイに設けられたタッチパネルを用いて他方のディスプレイの表示を制御する。そのため、従来に比べて、ユーザの利便性が向上する。
【００３９】
〔その他の実施形態〕
（１）本実施形態では、携帯電話機１００は、ユーザによる操作を検出することができる操作部を含んでいてもよい。表示制御部１２１は、操作部により所定の操作が検出されている場合は、第２判断部１２０により判断された結果に基づいて、第１表示部１１４の表示を制御してもよい。具体的には、表示制御部１２１は、第１関係と判断された場合には、第１表示部１１４に表示された画像をスクロールさせる。表示制御部１２１は、第２関係と判断された場合には、第１表示部１１４に表示された画像を拡大して表示させる。表示制御部１２１は、第３関係と判断された場合には、第１表示部１１４に表示された画像を縮小して表示させる。操作部は、ボタン等のハードキーを含む。
【００４０】
（２）本実施形態では、第２判断部１２０により第１関係と判断された場合には、表示制御部１２１は、第２表示部１１６に表示された画像をスクロールすることで説明したが、必ずしもこの場合に限られない。第２表示部１１６に矢印等のポインターが表示されている場合において前記第２判断部１２０により第１関係と判断されたときは、表示制御部１２１は、指Ａ及び指Ｂの移動に応じて前記ポインターを移動させてもよい。また、制御部１１８は、前記第２判断部１２０により第１関係と判断されている場合において、ユーザが指Ａと指Ｂとを用いて第１入力部１１５を連続でタッチしたときは、ポインターにより特定されているアプリケーションを実行してもよい。表示制御部１２１は、アプリケーションを実行することで表示される画像を第２表示部１１６に表示させる。
【００４１】
（３）携帯電話機１００は第１筐体と第２筐体とを備えることで記載したが、必ずしもこの場合に限られない。携帯電話機１００は一つの筐体のみを有し、一つの筐体に第１表示部１１４、第２表示部１１６、及び第１入力部１１５を備えることでもよい。
【００４２】
（４）制御部１１８は、携帯電話機１００が閉状態にある場合には、第２入力部１１７により検出された入力に基づいて第２表示部１１６の表示を制御することができる。第１判断部１１９は、第２入力部１１７により検出されているユーザのタッチの数が一つなのか又は複数なのかを判断する。第１判断部１１９は、ユーザによるタッチの数が一つの場合には、その結果を後述する表示制御部１２１に出力する。第１判断部１１９は、ユーザによるタッチが同時に複数検出されている場合は、その結果を第２判断部１２０に出力する。第２判断部１２０は、第１判断部１１９によりタッチが同時に複数検出されている場合には、複数のタッチの夫々の単位時間あたりの位置座標に基づいて、複数のタッチの相対的な位置関係を判断する。表示制御部１２１は、第１関係にあると判断された場合には、第２表示部１１６に表示されている画像をスクロールさせる。表示制御部１２１は、第２関係にあると判断された場合には、第２表示部１１６に表示されている画像を拡大して表示させる。表示制御部１２１は、第３関係にあると判断された場合には、第２表示部１１６に表示されている画像を縮小して表示させる。
【００４３】
（５）表示制御部１２１は、第１関係と判断された場合に、第１表示部１１４に表示されている画像をスクロールさせるのではなく、画像の位置を移動させてもよい。表示制御部１２１は、携帯電話機１００が閉状態にある場合において第１関係と判断された場合には、第２表示部１１６に表示されている画像の位置を移動させてもよい。
【００４４】
（６）本実施の形態では、表示制御部１２１は、第１入力部１１５により検出された結果を用いて第１表示部１１４又は第２表示部１１６の表示を制御したが、必ずしもこの場合に限られない。表示制御部１２１は、第２入力部１１７により検出された結果を用いて第１表示部１１４又は第２表示部１１６の表示を制御してもよい。第１判断部１１９は、第２入力部１１７により検出されたタッチの数に基づいて判断を行う。第２判断部１２０は、第２入力部１１７により検出されたタッチの位置に基づいてタッチの位置関係を判断する。表示制御部１２１は、第２判断部１２０の判断に基づいて第１表示部１１４の表示を制御する。この場合に、携帯電話機１００が実行する処理の内容は図９と同じである。
【００４５】
（７）第２判断部１２０は、タッチされた位置に基づいて第１関係乃至第３関係を判断したが、必ずしも３つの関係を判断する必要はない。第２判断部１２０は、タッチされた位置に基づいて第２関係又は第３関係のいずれであるかを判断してもよいし、第２関係であるかのみを判断してもよい。
【００４６】
（８）図９における、Ｓ２５、Ｓ５１、Ｓ６１の処理は、順番が入れ替わっても良い。例えば、Ｓ２４の処理の後にＳ５１の処理を行い、Ｓ５１の処理にてＮＯの場合にＳ２５の処理を行い、Ｓ２５の処理にてＮＯの場合にＳ６１の処理を実行してもよい。尚、Ｓ６１の処理がＳ２５の後に来る場合には、Ｓ６１とＳ２４との間に、「第１距離は第２距離よりも長い」という処理が追加される。
【００４７】
この他、実施の形態は、特許請求の範囲に示された技術思想の範囲内において、適宜、種々の変更が可能である。
【符号の説明】
【００４８】
１０３  スピーカ
１０４  マイク
１０５  第１タッチパネル
１０６  第２タッチパネル
１０７  姿勢判定部
１０９  アンテナ
１１０  無線部
１１１  記憶部
１１２  状態検出部
１１３  信号処理部
１１４  第１表示部
１１５  第１入力部
１１６  第２表示部
１１７  第２入力部
１１８  制御部
１１９  第１判断部
１２０  第２判断部
１２１  表示制御部  
【図１】
2013047866.tif 000003
【図２】
2013047866.tif 000004
【図３】
2013047866.tif 000005
【図４】
2013047866.tif 000006
【図５】
2013047866.tif 000007
【図６】
2013047866.tif 000008
【図７】
2013047866.tif 000009
【図８】
2013047866.tif 000010
【図９】
2013047866.tif 000011